(57)【要約】【課題】本発明は、より小さい空間を占める無線周波数テストポートを備える携帯式電子装置を提供することを目的とする。【解決手段】本発明に係る携帯式電子装置は、キャビネットと、前記キャビネット内に装着される回路基板と、前記回路基板に設置され且つ前記回路基板に電気接続される無線周波数テストポートと、前記無線周波数テストポート内に装着されるプローブと、前記キャビネットに設置されるアンテナと、を備える。テストを行う場合には、前記無線周波数テストポートは前記プローブを介してテスト機器に接続されて、前記携帯式電子装置に対してテストを行う。通信する場合には、前記無線周波数テストポートは、前記プローブを介してアンテナに電気接続されて、無線周波信号の送信及び受信を実現する。【選択図】図１
2011160404.tif 000002
【特許請求の範囲】
【請求項１】
キャビネットと、
前記キャビネット内に装着される回路基板と、
前記回路基板に設置され且つ前記回路基板に電気接続される無線周波数テストポートと、
前記無線周波数テストポート内に装着されるプローブと、
前記キャビネットに設置されるアンテナと、
を備える携帯式電子装置であって、
テストを行う場合には、前記無線周波数テストポートは前記プローブを介してテスト機器に接続されて、前記携帯式電子装置に対してテストを行い、
通信する場合には、前記無線周波数テストポートは前記プローブを介してアンテナに電気接続されて、無線周波信号の送信及び受信を実現することを特徴とする携帯式電子装置。
【請求項２】
前記携帯式電子装置は、前記回路基板に電気接続され且つ前記回路基板を介して前記無線周波数テストポートに電気接続される無線周波数チップをさらに備えることを特徴とする請求項１に記載の携帯式電子装置。
【請求項３】
前記無線周波数テストポートは、第一弾片及び前記第一弾片に連接される第二弾片を含み、
前記第二弾片は、前記回路基板に電気接続され、前記プローブは、前記第二弾片に固定され、
前記携帯式電子装置に対してテストを行う時には、前記第二弾片は前記プローブに押圧されて前記第一弾片から離脱すると、信号は前記第二弾片とそれに固定されている前記プローブを経由して伝送されることを特徴とする請求項１に記載の携帯式電子装置。
【請求項４】
前記無線周波数テストポートは、基体及び前記基体に設置されている取付部を含み、
前記第一弾片及び前記第二弾片は、どちらも前記基体内に装着され、
前記取付部には貫通孔が設けられて、前記第二弾片に設置されている前記プローブは前記貫通孔を通して前記無線周波数テストポートから突出し、
前記テスト機器が前記取付部に装着されると、前記プローブは下方へ押圧されて、前記第一弾片及び前記第二弾片を分離させてから、無線周波数チップが発信した信号は、前記回路基板、前記第二弾片そして前記プローブを経由して前記テスト機器に伝送されて無線周波数テストを行うことを特徴とする請求項３に記載の携帯式電子装置。
【請求項５】
前記基体は、その中央部に設けられている収容部及びその両側に設けられている切り欠き部を含み、
前記切り欠き部は、前記貫通孔及び前記収容部に連通され、前記第一弾片及び前記第二弾片は、それぞれ前記基体の２つの前記切り欠き部内に装着されることを特徴とする請求項４に記載の携帯式電子装置。
【請求項６】
前記キャビネットは、アッパーケース及び前記アッパーケースに装着されているブラケットを含み、
前記ブラケットは、前記貫通孔の位置に対応し、
前記アンテナは、前記ブラケットの前記貫通孔に対応する部分の両面を被覆し、且つ前記無線周波数テストポートから突出するプローブに当接されて、前記第一弾片と前記第二弾片とを分離させて、さらに前記アンテナ、前記プローブ、前記第二弾片、前記回路基板及び前記無線周波数チップを介して送信及び受信を実現することを特徴とする請求項４に記載の携帯式電子装置。
【請求項７】
前記キャビネットは、アッパーケース及び前記アッパーケースに装着されているブラケットを含み、
前記ブラケットは、前記貫通孔に対応して位置しており、
前記アンテナは、前記ブラケットの一面に設置される基部及び前記基部から延伸して形成される接触部を備え、
前記ブラケットは、前記プローブと間隔をあけて設置され、前記第一弾片と前記第二弾片とは、当接する状態にし、
前記第一弾片は、前記無線周波数テストポートから突出する第三片体を含み、前記接触部は、前記第三片体に連接して、前記アンテナ、前記アンテナに連接する前記第一弾片、前記第二弾片、前記回路基板及び前記無線周波数チップを介して送信及び受信を実現することを特徴とする請求項４に記載の携帯式電子装置。
【請求項８】
前記第一弾片は、前記第三片体と平行する第一片体と、前記第一片体及び前記第三片体に連接する第二片体と、を含み、
前記第二弾片は、当止部及び前記当止部に接続する固定部を含み、
前記第一片体は、前記当止部に当接し且つ前記回路基板に平行に設置され、
前記プローブは、前記当止部に設置され、
前記第三片体及び前記固定部は、前記回路基板に当接して前記回路基板に電気接続することを特徴とする請求項７に記載の携帯式電子装置。
【発明の詳細な説明】
【技術分野】
【０００１】
本発明は、携帯式電子装置に係り、特に無線周波数テストポートを備える携帯式電子装置に関するものである。
【背景技術】
【０００２】
携帯電話などのような携帯式電子装置の製造プロセスにおいて、電子装置の無線周波数チップに対してテストを行う必要がある。通常、電子装置の回路基板に無線周波数テストポートを実装し、前記無線周波数テストポートをテスト機器に接続させてテストを行う。しかし、テストを終えた後、前記無線周波数テストポートは依然前記回路基板に放置されて未使用部品になり、電子装置の内部空間を占有する。
【発明の概要】
【発明が解決しようとする課題】
【０００３】
上述した問題に鑑みて、本発明は、より小さい内部空間を占有する無線周波数テストポートを備える携帯式電子装置を提供することを目的とする。
【課題を解決するための手段】
【０００４】
本発明に係る携帯式電子装置はキャビネットと、前記キャビネット内に装着される回路基板と、前記回路基板に設置され且つ前記回路基板に電気接続される無線周波数テストポートと、前記無線周波数テストポート内に装着されるプローブと、前記キャビネットに設置されるアンテナと、を備える。テストを行う場合には、前記無線周波数テストポートは前記プローブを介してテスト機器に接続されて、前記携帯式電子装置に対してテストを行う。通信する場合には、前記無線周波数テストポートは、前記プローブを介してアンテナに電気接続されて、無線周波信号の送信及び受信を実現する。
【発明の効果】
【０００５】
従来の技術と比べて、本発明に係る携帯式電子装置おいて、接続用プローブは、従来と違って、無線周波数テストポート内に装着される。即ち、別々に設置される無線周波数テストポート及びプローブを一体化し、前記無線周波数テストポートのみで無線テスト或いは通常通信を実現するから、占有空間はより小さくなる。
【図面の簡単な説明】
【０００６】
【図１】本発明の第一実施形態に係る携帯式電子装置の無線周波数テストポートの斜視図である。
【図２】本発明の第一実施形態に係る携帯式電子装置の通信状態にした時の断面図である。
【図３】本発明の第一実施形態に係る携帯式電子装置のテスト状態にした時の断面図である。
【図４】本発明の第二実施形態に係る携帯式電子装置の通信状態にした時の断面図である。
【発明を実施するための形態】
【０００７】
図１及び図２に示すように、本発明の第一実施形態に係る携帯式電子装置１００は、キャビネット１０と、回路基板３０と、無線周波数チップ５０と、無線周波数テストポート７０と、を備える。前記回路基板３０は、前記キャビネット１０内に装着され、前記無線周波数チップ５０及び無線周波数テストポート７０は、前記回路基板３０に実装され且つそれぞれ前記回路基板３０に電気接続されている。前記無線周波数テストポート７０をテスト機器（図示せず）に接続することにより、前記無線周波数チップ５０に対してテストを行う。
【０００８】
前記キャビネット１０は、ローワーケース１１及びアッパーケース１３を含む。前記ローワーケース１１は、ほぼ平板状を呈し、前記回路基板３０を収納する。前記アッパーケース１３は、ほぼ平板状を呈し、且つ前記回路基板３０の各部品を覆うように前記ローワーケース１１上に設置されている。前記アッパーケース１３の内側には、アンテナ１３３が装着されるブラケット１３１が設置されている。前記ブラケット１３１は、ほぼ平板状を呈し、キャリア面１３１１及び前記キャリア面１３１１の反対側の当接面１３１３を含む。前記キャリア面１３１１は、前記アッパーケース１３に対向して設置され且つ前記回路基板３０及びアッパーケース１３に平行する。前記当接面１３１３は、前記アッパーケース１３に背を向けて設置されている。前記アンテナ１３３は、従来の平面アンテナでよく、ほぼ片状体であり、且つ前記キャリア面１３１１及び当接面１３１３を被覆して、前記無線周波数テストポート７０及び回路基板３０を介して前記無線周波数チップ５０に電気接続する。
【０００９】
前記回路基板３０は、従来のフレキシブル回路基板であり、サイズは前記ローワーケース１１に整合する。前記回路基板３０は、前記ローワーケース１１内に装着されて、前記携帯式電子装置１００内の各部品を電気接続させる役割を果たす。
【００１０】
前記無線周波数チップ５０は、前記回路基板３０に実装されて、前記回路基板３０に電気接続する。前記無線周波数チップ５０は、前記携帯式電子装置１００が発信したベースバンド信号を無線周波数信号に転換し且つそれを増幅などの必要な処理を施してから、前記アンテナ１３３を介して送信するか、或いは前記アンテナ１３３が受けた無線周数波信号をベースバンド信号に転換して受信を実現する。
【００１１】
前記無線周波数テストポート７０は、ＳＭＴ(Surface Mount Technology)技術で前記回路基板３０に実装され、前記携帯式電子装置１００の無線周波数テスト又は通常通信を実現する。前記無線周波数テストポート７０は、基体７１と、前記基体７１に装着されている取付部７３と、前記基体７１内に装着されている第一弾片７５、第二弾片７７及びプローブ７９と、を備える。
【００１２】
前記基体７１は、略中空の長方形のハウジングであり、その中央部に設けられている収容部７１１及びその対向する両側を貫通するように設けられている２つの切り欠き部７１３を含む。２つの前記切り欠き部７１３と収容部７１１とは互いに連通されている。
【００１３】
前記取付部７３は、略中空の円柱体であり、中央部には軸方向に沿って前記収容部７１１と互いに連通する貫通孔７３１が設けられている。また、前記取付部７３の外周壁にはねじ山７３３が形成されている。
【００１４】
前記第一弾片７５及び第二弾片７７は、それぞれ前記切り欠き部７１３に対応して装着されている。前記第一弾片７５は、第一片体７５１、第二片体７５３及び第三片体７５５を含み、前記第一片体７５１と前記第三片体７５５とは、互いに平行に設置され、前記第二片体７５３の両端は、それぞれ前記第一片体７５１及び前記第三片体７５５にほぼ垂直に連接されている。前記第一片体７５１及び前記第二片体７５３は、皆前記収容部７１１内に収納されるが、前記第三片体７５５は、部分的に前記収容部７１１内に収納され、一部分は前記切り欠き部７１３を通して前記無線周波数テストポート７０から露出されている。
【００１５】
前記第二弾片７７は、前記第一弾片７５とは相対的に前記収容部７１１内に装着されている。前記第二弾片７７は、当止部７７１及び固定部７７３を含む。前記当止部７７１及び前記固定部７７３はどちらも、前記収容部７１１内に装着される平板状片体である。前記当止部７７１の一端は、折り曲げられ且つ延伸されて、自身に略平行する固定部７７３を形成する。前記当止部７７１の末端は、前記第一弾片７５の第一片体７５１の末端の内側（図での第一片体７５１の下面）に当止する。前記当止部７７１と固定部７７３との接続部位は弾性を有するので、前記当止部７７１を押圧すると、前記当止部７７１は変形して前記第一片体７５１から離間する。
【００１６】
前記プローブ７９は、前記当止部７７１の前記第一片体７５１に当止する一端に近接する箇所に溶接によって固定され且つ前記貫通孔７３１の軸方向に沿って延在して、前記無線周波数テストポート７０から突き出る。
【００１７】
図２に示したように、前記携帯式電子装置１００を組み立てる場合には、まず、前記無線周波数チップ５０を前記回路基板３０に溶接固定して、前記無線周波数チップ５０を前記回路基板３０に電気接続させる。次に、前記無線周波数テストポート７０を前記回路基板３０上に実装してから、前記アッパーケース１３を前記ローワーケース１１に被せる。この際、前記取付部７３及び前記プローブ７９は前記アッパーケース１３に向って延在し、且つ前記プローブ７９は、前記ブラケット１３１の当接面１３１３を被覆している前記アンテナ１３３に当止されるから、前記第二弾片７７の当止部７７１は、前記プローブ７９によって押圧されて前記第一弾片７５の第一片体７５１から離間される。この時、前記基体７１は前記回路基板３０に当止され、前記第一弾片７５の第一片体７５１と、第三片体７５５及び前記第二弾片７７の当止部７７１と、固定部７７３と、は、全て前記回路基板３０に平行し、且つ前記第三片体７５５及び前記固定部７７３は、前記回路基板３０に電気接続される。このように、無線周波数チップ５０が発信した信号は、前記回路基板３０、第二弾片７７及びプローブ７９を介して前記アンテナ１３３又はテスト機器に伝送される。
【００１８】
図３に示したように、前記無線周波数テストポート７０を利用して無線周波数テストを行う場合には、まず、前記アッパーケース１３を取り外して無線周波数テストポート７０を露出させてから、テスト機器のコネクタ９０（通常Ｓｕｂ−Ｍｉｎｉａｔｕｒｅ−Ａである）を前記取付部７３に螺合し且つ前記コネクタ９０の接触端９１を前記プローブ７９に当止させる。従って、前記当止部７７１の前記第一片体７５１に当接する一端は前記プローブ７９によって押圧されて前記第一片体７５１から離間する。この場合、無線周波数チップ５０が発信した信号は、順次に前記回路基板３０、前記固定部７７３、前記当止部７７１そして前記プローブ７９を経由し、さらに前記プローブ７９に接続する前記接触端９１を介してテスト機器に入力されて、テストを行う。
【００１９】
テストが終わってから、前記携帯式電子装置１００を組み立てて、通信する時には、無線周波数チップ５０は、携帯式電子装置１００が発信しようとするバースバンド信号を無線周波信号に転換し、増幅などの必要な処理を経って、前記回路基板３０、前記固定部７７３、前記当止部７７１そして前記プローブ７９を順次に経由して前記アンテナ１３３に伝送して、さらにアンテナ１３３で発信し、また、前記アンテナ１３３が受信した信号は、前記プローブ７９、前記当止部７７１、前記固定部７７３そして前記回路基板３０を順次に経由して前記無線周波数チップ５０に伝送され且つ無線周波数チップ５０により還元又は変換してから、前記携帯式電子装置１００に伝送される。これによって、前記携帯式電子装置１００の送信及び受信を実現する。
【００２０】
図４に示したように、本発明の第二実施形態に係る携帯式電子装置２００は、前記第一実施形態に係る携帯式電子装置１００と同じキャビネット１０、回路基板３０、無線周波数チップ５０及び無線周波数テストポート７０を備える。両者を区別する特徴は、前記無線周波数テストポート７０のプローブ７９と前記キャビネット１０のブラケット１３１とが間隔をあけて設置されることである。この場合、前記第一片体７５１と前記当止部７７１とは、当接状態を維持し、前記ブラケット１３１にアンテナ１３５が装着されている。前記アンテナ１３５は、前記ブラケット１３１のキャリア面１３１１を覆うように設置された基部１３５１と前記基部１３５１から折り曲げて延伸する接触部１３５３とを含む。前記接触部１３５３は、前記第一弾片７５の第三片体７５５の前記無線周波数テストポート７０から突出する一端に当接されている。
【００２１】
前記携帯式電子装置２００において、無線周波数テストを行う場合のステップは上述した第一実施例と同じであるので、図３を参照できる。図４に示したように、前記携帯式電子装置２００は、テストを終えて、組み立てられてから通信する時には、前記無線周波数チップ５０により信号を増幅するなどの必要な処理を施してから、前記回路基板３０、前記第二弾片７７及び前記第二弾片７７に当止する第一片体７５１、前記第二片体７５３そして前記第三片体７５５を順次に経由して、前記第三片体７５５に連接するアンテナ１３３の接触部１３５３に伝送し、さらに前記アンテナ１３３を介して送信する。また、前記アンテナ１３３が受信した信号は、前記接触部１３５３、前記第二弾片７７、前記第一弾片７５、前記回路基板３０そして無線周波数チップ５０を順次に経由して、前記携帯式電子装置２００に伝送される。これによって、前記携帯式電子装置１００の送信及び受信を実現する。
【００２２】
本発明の携帯式電子装置１００、２００によれば、接続用プローブ７９は、従来と違って、前記無線周波数テストポート７０内に装着される。即ち、別々に設置される無線周波数テストポート及びプローブを一体化し、無線周波数テストポート７０だけで無線テスト及び通常通信を実現するから、占有空間はより小さくなる。
【００２３】
以上、本発明の好適な実施形態について詳細に説明したが、本発明は前記実施形態に限定されるものではなく、本発明の範囲内で種々の変形、又は変更が可能であり、前記変形、又は変更も本発明の特許請求の範囲内に含まれるものであることはいうまでもない。
【符号の説明】
【００２４】
１０        キャビネット
１１        ローワーケース
１３        アッパーケース
３０        回路基板
５０        無線周波数チップ
７０        無線周波数テストポート
７１        基体
７３        取付部
７５        第一弾片
７７        第二弾片
７９        プローブ
９０        コネクタ
９１        接触端
１００      携帯式電子装置
２００      携帯式電子装置
１３１      ブラケット
１３３      アンテナ
７１１      収容部
７１３      切り欠き部
７３１      貫通孔
７３３      ねじ山
７５１      第一片体
７５３      第二片体
７５５      第三片体
７７１      当止部
７７３      固定部
１３１１    キャリア面
１３１３    当接面
１３５１    基部
１３５３    接触部
【図１】
2011160404.tif 000003
【図２】
2011160404.tif 000004
【図３】
2011160404.tif 000005
【図４】
2011160404.tif 000006